(57)【特許請求の範囲】
【請求項１】
上受け皿および下受け皿を備え本体枠に接合する閉鎖位置ないし本体枠から離脱する開放位置間で揺動可能に本体枠に軸支される皿部材と、該皿部材の所定位置に固定される遊技球発射ハンドルと、本体枠側に取り付けられ、人間のもつ静電容量を利用して上記発射ハンドルに遊技者がタッチしたことを検出するタッチ基盤と、を備え所定の入賞状態が成立したとき賞球としての遊技球を払出す遊技機であって、
上記皿部材を閉鎖したとき上記発射ハンドルに対応する本体枠側の対応位置近辺に上記タッチ基盤を取り付け、
上記皿部材を閉鎖したとき上記発射ハンドルとタッチ基盤とを電気的に接続する接点開閉手段を備えて構成したことを特徴とする遊技機。
【請求項２】
上記タッチ基盤は、遊技者が上記発射ハンドルにタッチしているのを検出するとともに、遊技者の上記発射ハンドルの回動量に応じて遊技球を遊技領域に発射するための打球槌のトルクを調整するためのものであって、
上記発射ハンドルは、リード線により、上記皿部材側に固定されたコネクタと接続され、
上記タッチ基盤は、リード線により、上記本体枠側に固定されたコネクタと接続され、
上記皿部材を閉鎖したとき、両コネクタが嵌合状態となって電気的に接点を閉じ、上記皿部材を開放すれば、両コネクタの嵌合状態が解け電気的接点が開放されることを特徴とする請求項１に記載の遊技機。
【発明の詳細な説明】
【０００１】
【産業上の利用分野】
本発明は、パチンコ機等、遊技球の入賞に応じて賞球を機外に排出する遊技機に関する。
【０００２】
【従来の技術】
従来、例えばパチンコ機やアレンジボール式遊技機（アレパチ）等の鋼製の遊技球を使用する遊技機においては、本体枠に開閉揺動自在に装着された木製の前枠の下部に下受け皿が固着されていた。また下受け皿の上方には上受け皿が配されており、上受け皿は前枠に開閉揺動自在に装着されていた。
【０００３】
【発明が解決しようとする課題】
上記上受け皿と下受け皿とでは前枠への装着形態が異なることから、別個に製造された上受け皿および下受け皿を別個に前枠に装着する工程が採用されていた。しかしながら、装着形態が異なる上受け皿と下受け皿とを別個に製造し、別個に前枠に装着するために、受け皿の製造および装着工程が複雑となっていた。この課題を解決するために本願出願人は、特願平５−２９２０７３号の「遊技機」に示されるように、上受け皿および下受け皿を備え本体枠に接合する閉鎖位置ないし本体枠から離脱する開放位置間で揺動可能に本体枠に軸支される皿部材を備えた発明を行った。この発明は、上皿と下皿とを一体に構成し、部品点数を少なくして構成を簡易にし、また強度を高めるという極めて優れた効果を奏するが、猶、次の課題が考えられた。即ち、上記発明においては前枠を無くした構造上発射ハンドルは皿部材の右端下に固定される。このため、遊技者が発射ハンドルにタッチしたことを検出するタッチ基盤との配線は、皿部材右端の発射ハンドルから皿部材左端の皿部材の軸支位置近辺を介して遊技機本体の中央下部に配置されるタッチ基盤まで引き回す必要が生じた。これは、配線を徒に長くする不具合ばかりでなく、配線が長いことによる対地容量の増大、電気的ノイズを受け易いといった不具合を発生させる。特に対地容量の増大は、遊技者のハンドルにタッチしたことを検出するタッチ基盤の構造が人間のもつ静電容量を利用していることから、タッチ検出感度を低下させ遊技者がハンドルを操作しても遊技球を発射させないことがあるという不具合を発生させる虞を生じさせた。本発明の遊技機はこれらの課題を解決することを目的として為されたものである。
【０００４】
【課題を解決するための手段】
上記課題を解決するための手段として、本発明の遊技機は、上受け皿および下受け皿を備え本体枠に接合する閉鎖位置ないし本体枠から離脱する開放位置間で揺動可能に本体枠に軸支される皿部材と、該皿部材の所定位置に固定される遊技球発射ハンドルと、本体枠側に取り付けられ、人間のもつ静電容量を利用して上記発射ハンドルに遊技者がタッチしたことを検出するタッチ基盤と、を備え所定の入賞状態が成立したとき賞球としての遊技球を払出す遊技機であって、
上記皿部材を閉鎖したとき上記発射ハンドルに対応する本体枠側の対応位置近辺に上記タッチ基盤を取り付け、
上記皿部材を閉鎖したとき上記発射ハンドルとタッチ基盤とを電気的に接続する接点開閉手段を備えて構成したことを特徴とする。ここで、接点開閉手段とは、皿部材を閉鎖したとき、発射ハンドルとタッチ検出手段との接点を、またはタッチ検出手段と電気的部材との接点を電気的に閉じる手段であれば良く、皿部材を閉鎖したとき接触する導伝体や挿入方式のコネクタ等を用いて皿部材を閉鎖したとき直接接点を閉じる構成とすることや、フォトトランジスタ等の投光手段と受光手段とを用いて光を介して電気的接点を閉じる構成とすること等が考えられる。また、本体枠側とは、枠のみを意味するものではなく本体枠に保持される裏盤等の本体枠の付属部品や部材を含む概念をいう。
【０００５】
【作用】
上記構成を有する遊技機においては、本発明は、皿部材を関鎖したとき接点開閉手段により皿部材側の発射ハンドルと本体枠側とのタッチ検出手段とが電気的に接点を閉じ、皿部材を開放すると接点が開くよう作用する。また、本発明は、皿部材を閉鎖したとき接点関閉手段により皿部材側のタッチ基盤と本体枠側の電気的部材とが電気的に接点を閉じ、皿部材を開放すると接点が開くよう作用する。
【０００６】
【実施例】
次に、本発明の好適な一実施例を説明する。図１は本発明の遊技機としてのパチンコ機１０の正面図であり、周知の遊技盤１２を備えている。遊技盤１２の前面側は、装飾部１３ａを備えるほぼ全体がプラスチック製のガラス枠１３を介してほぼ全体がプラスチック製の前面枠１４に装着された二重のガラス１６ａ、１６ｂで覆われており、遊技盤１２と内側のガラス１６ａおよび装飾部１３ａとの間に遊技領域１８が形成されている。前面枠１４の上部には所謂大当たり状態が発生したことを知らせる表示ランプ２０が組み付けられている。また、前面枠１４は、右側部２２に設けられた錠２４を操作することにより、左側部２６の裏面側に装着されている迫出しヒンジ１７６ａ、１７６ｂ（詳細は後述）を軸として開閉可能である。前面枠１４の下方には、プラスチック製で、上受け皿２８および下受け皿３０が一体的に設けられた皿部材３２が配されている。上受け皿２８および下受け皿３０には、それぞれにパチンコ機１０内部からの遊技球を排出するための上皿排出口３４および下皿排出口３６が開口している。また、皿部材３２には複数の小孔からなるスピーカ面３８が設けられており、スピーカ面３８の裏側には遊技状態に応じて音声を発するスピーカ（図示略）が装着されている。皿部材３２には、上受け皿２８から供給される遊技球を遊技領域１８に発射するためのモータ（図示略）を操作する発射ハンドル４０および遊技球の発射を一時的に停止するためのストップスイッチ４２が設置されている。さらに皿部材３２の下方には、裾板４３が設置されている。この皿部材３２は左裏側に装着された迫出しヒンジ１７６ｃ、１７６ｄ（詳細は後述）を軸として開閉可能であるが、通常の使用時には右裏側にてロックされて閉状態に保持されている。また通常の使用時には、皿部材３２は前面枠１４によって上辺部分を押さえられ開放を防止されている。したがって、皿部材３２を開くには、前面枠１４を開放し右裏側のロックを解除する必要がある。
【０００７】
図２に示すようにパチンコ機１０の裏面側には、パチンコ機１０の各部材を支持すると共に遊技機設置島（以下、単に島という）に装着するための部材でもあるプラスチック製の本体枠４４が配されており、上述の前面枠１４および皿部材３２はヒンジを介して本体枠４４と連結されている。この本体枠４４には、遊技盤１２、役物の作動制御や遊技条件の変更等を実施するためのＬＳＩ等の電気部品を組み込んだ制御基盤４６、制御基盤４６を保護するカバー４６ａ等を支承する裏盤４８が組み付けられている。なお図示を省略しているが、遊技盤１２の裏面側には、入賞球通路や入賞口に設置された遊技球検出センサ、役物、ランプ等に接続されたリード線等の周知の部材が配されている。この裏盤４８の上端部には島の上部に設置された球供給路（図示略）から供給される遊技球を貯留するプラスチック製の賞球タンク５０が設置されている。賞球タンク５０には、中央やや左寄りに遊技球の荷重の有無によって遊技球の有無を検知する荷重センサ５２が設置されており、賞球タンク５０の下部には遊技球が流出可能な賞球流出口５４が設けられている。賞球流出口５４は、遊技球を整列させながら流下させる透明プラスチック製の賞球誘導樋５６を介して、賞球排出装置５８に接続されている。また賞球誘導樋５６の中間部には荷重センサ６０が設置されており、遊技球の誘導状況を検出可能である。賞球排出装置５８は、例えば特開平５−４２２４８号公報に記載されているように、ステッピングモータ６２にて駆動されるフライトスクリュを備えるが、さらに排出口６４の手前側に設置されたフォトセンサ６６によって遊技球の通過を検出可能である。
【０００８】
図３に示すように、このフォトセンサ６６の信号はカウンタ６８に入力される。カウンタ６８は、フォトセンサ６６の信号ＳＰに基づいて排出された遊技球の数をカウントし、設定数（例えば１５個）の遊技球がカウントされるまでモータ制御回路７０に駆動信号ＳＫを出力し、設定数の遊技球がカウントされると駆動信号ＳＫの出力を停止すると共にカウント数を０にリセットする。またモータ制御回路７０には、入賞を検出すると入賞信号ＳＮを発する入賞信号発生回路７２からの入賞信号ＳＮが入力される。入賞信号ＳＮの入力があると、モータ制御回路７０は、駆動信号ＳＫが継続する時間内は、遊技球を排出させるべくステッピングモータ６２を遊技球１個の排出に対応するピッチで回転させる。したがって、ステッピングモータ６２は、正確に設定数の遊技球を排出して停止することになる。ところが、何等かの事情、例えば賞球タンク５０内の遊技球がお互いに噛み合う等して賞球誘導樋５６へ遊技球が流下しなくなり賞球排出装置５８への遊技球の供給が不足した場合にはステッピングモータ６２が空転することになるので、モータ制御回路７０は、カウンタ６８の駆動信号ＳＫが入力されていても、例えば遊技球１５個排出に相当する所定のピッチ数だけステッピングモータ６２を回転させて停止させる。このような場合、過重センサ６０がオンして賞球異常表示用のランプ２０ａが点灯するので店員がその不具合に気付き修復した後にリセットスイッチ７４をオンすると、上記入賞信号ＳＮが入力された時と同様に、モータ制御回路７０はステッピングモータ６２を回転させる。この場合設定数の遊技球の排出が完了していないため、カウンタ６８は上記不具合発生時点の記憶しているカウント数に継続してカウントを再開する。このため、例えば上記不具合の発生時点で既に１０個の遊技球が排出されていたとすれば、カウンタ６８は１１〜１５のカウントを実行することになる。したがって、不具合発生によって排出未了であった遊技球５個が排出されて、ステッピングモータ６２が停止されることになる。このように、賞球排出装置５８は、不具合を解消された後に排出未了数を追加排出するので、入賞数に対応する遊技球が正確に排出されることになる。
【０００９】
図２に示すように、賞球排出装置５８の排出口６４の下方には、賞球排出装置５８から排出される遊技球を導く賞球排出樋７６が接続されている。賞球排出樋７６は、裏盤４８と透明プラスチック製の背板７８、８０によって形成されており、遊技球の落下速度を規制するための屈曲部８２および屈曲部８２に連なる斜行部８４を備えている。この斜行部８４は、遊技球を上受け皿２８と下受け皿３０とに振り分けて排出するための遊技球振り分け機構８８に接続されている。このため、賞球排出装置５８から排出された遊技球は、賞球排出樋７６を経て遊技球振り分け機構８８へと導かれる。また賞球排出樋７６には、斜行部８４において、上記球抜樋開放ソレノイド７３により駆動されるダンパ９０介して玉抜樋９２が接続されている。この玉抜樋９２は、例えばパチンコ機１０を島から撤去する場合等に、賞球タンク５０、賞球誘導樋５６等に貯留されている遊技球を機外へ排出するための経路であり、ピン穴３９にピンを挿入してピン挿入検出スイッチ３９ａをオンすると球抜樋開放ソレノイド７３を所定時間駆動してダンパ９０を矢印Ａ方向に駆動し、斜行部８４を遮断すると共に賞球排出樋７６と玉抜樋９２とを連通させる。併せてステッピングモータ６２を所定時間駆動することにより賞球排出装置５８が稼動して賞球タンク５０からの遊技球を排出する。排出された遊技球は賞球排出樋７６、玉抜樋９２および合流樋１３１を経て機外へ排出される。従来の遊技機においては、賞球排出装置の上流側に設置されたダンパを操作ピンによって機械的に操作して玉抜き作業を実施する構成であったため、ダンパ操作のために操作ピンを挿通させる操作穴をダンパ近傍に設ける必要があった。このためダンパの設置位置や操作穴の設置位置の自由度は低く、遊技機全体の構成を制限することもあった。また、賞球排出装置の上流側に設置されたダンパから遊技機本体の下方まで球抜樋を設ける必要があり構成が複雑かつ大きなものとなる不具合があった。ところが本実施例のパチンコ機１０では、上述のようにダンパ９０および賞球排出装置５８が電気的に操作されるので、ダンパ９０や玉抜スイッチの設置位置は事実上制限されず、機構配置上の自由度が高まっている。即ち、本実施例では、ダンパ９０は賞球排出樋７６の斜行部８４に設けられ、賞球排出動作または球抜き動作に係わらず斜行部８４までの遊技球通路を共用し、構成を簡略化している。
【００１０】
遊技球振り分け機構８８は、上受け皿２８へ通ずる上皿導入口９６および下受け皿３０に通ずる下皿導入口９８が互いに隣接して開口している。上皿導入口９６と下皿導入口９８との間には遊技球の半径程度の高さを有する障壁１００が設置され、障壁１００の上方には遊技球が通過可能な連通口１０２が設けられている。このため、賞球排出樋７６から落下した遊技球は、通常は障壁１００によって上皿導入口９６側から下皿導入口９８側への水平方向の移動を阻まれて上受け皿２８へと導かれることになる。ところが、入賞の連続等があり上受け皿２８に多量の遊技球が蓄積されると上皿導入口９６付近まで遊技球によって満たされて、上皿導入口９６へ遊技球が進入できなくなることがある。このような状態で賞球排出樋７６から排出された遊技球は、上皿導入口９６付近に滞留する遊技球によって通路を遮られるので、障壁１００の上方の連通口１０２を通過して下皿導入口９８側へ溢流し、下受け皿３０へと導かれることになる。遊技球振り分け機構８８に隣接して、遊技盤１２から入賞球を集中して導く入賞球集合樋１０４が設置されている。この入賞球集合樋１０４の出口側には入賞球排出装置１０６が設置されている。
【００１１】
図４に示すように、入賞球排出装置１０６の球通路１０８は、入賞球集合樋１０４側の上端部１０８ａおよび下端部１０８ｂの筒状部分を側壁部１０８ｃで連結した形状である。また側壁部１０８ｃの中央部には相対向する１組の開口１１０、１１２が設けられ、これらの開口１１０、１１２にわたって近接スイッチ１１４が設置されている。また球通路１０８内には、上端部１０８ａにて軸支された一対の板部１１６ａ、１１６ｂ、板部１１６ａ、１１６ｂの先端に設けられた球受部１１８とからなる揺動部材１２０が設置されている。この揺動部材１２０は、楔部材１２２を介して接続されているソレノイド１２４によって駆動されて、球通路１０８内で揺動可能である。楔部材１２２には、ソレノイド１２４を復帰させるためのばね１２６が装着されている。こうした構成により、入賞球集合樋１０４から入賞球排出装置１０６へ導かれた遊技球は、球通路１０８内を落下して球受部１１８にて一旦停止される。ここで近接スイッチ１１４はオンとなる。近接スイッチ１１４の信号は、例えば入賞信号発生回路７２に入力されて、入賞信号ＳＮによって賞球排出装置５８のステッピングモータ６２を稼動させる他、制御基盤４６に入力されて所定の制御操作に使用される。次に、ソレノイド１２４の作動によって揺動部材１２０が矢印Ｂ方向に揺動させられると、遊技球は球受部１１８と球通路１０８との間に形成される空隙を通過して落下する。この際、次に続く遊技球があれば、この遊技球は楔部材１２２によって落下を阻止される。さらにソレノイド１２４の復帰に伴って楔部材１２２が後退すると、この遊技球は落下して球受部１１８上で停止し、上述のように近接スイッチ１１４が作動する。このようにして、入賞した遊技球は正確に１球づつ排出される。
【００１２】
図２に示すように、入賞球排出装置１０６の下方には入賞球排出装置１０６から排出された遊技球の通路としての入賞球排出樋１２８が設けられている。また入賞球排出装置１０６の左方には、遊技盤１２の下部に開口するアウト穴（図示略）に接続されているアウト球排出樋１２９が設置されている。図示のように、入賞球排出樋１２８とアウト球排出樋１２９とは合流して合流樋１３１に接続されており、この合流樋１３１には玉抜樋９２も合流している。さらに合流樋１３１の出口１３１ａには島に設置されている回収路（図示略）が接続されている。こうした構成により、パチンコ機１０が稼動しているとき（遊技中）には、入賞球は入賞球排出装置１０６および入賞球排出樋１２８を経て合流樋１３１に導かれ、アウト球はアウト球排出樋１２９を経て合流樋１３１に導かれ、いずれも回収路へと排出される。また上述した玉抜き作業の実施に当たって玉抜樋９２へと導かれた遊技球は、合流樋１３１を経て回収路へと排出される。このように、入賞球、アウト球および玉抜き作業によって排出される遊技球のいずれもが、合流樋１３１から排出される。したがって、回収路は合流樋１３１の出口１３１ａのみに接続されればよく、パチンコ機１０と回収路とを複数箇所とする必要はないので、パチンコ機１０と島との接続を簡略化できる。図２および図５に示すように、本体枠４４の下部に設けられた８箇所の係合口１３０には、裾板４３の裏面に設けられている８個の係合片４３ａがそれぞれ係合し、これによって本体枠４４と裾板４３とが連結されている。また本体枠４４の最下部に形成された凹部４４ａ内には、一対のスペーサ１３２、１３２が収納されている。これらのスペーサ１３２は、パチンコ機１０を島に設置する際の釘打ちによる本体枠４４の破損を防止するためのものであるが、このスペーサ１３２の板厚ｔを調節することで、本体枠４４の設置高さを調節できる。このため、関東枠サイズの本体枠４４を使用しているパチンコ機１０に板厚ｔを増したスペーサ１３２を組み込めば、関東枠サイズのパチンコ機１０を関西枠サイズの島に設置することができる。したがって、関東枠と関西枠との２種類の本体枠４４を製造する必要はなくなる。なお、関西枠は横幅においても関東枠よりも大きいので、本体枠４４の側面に沿って設置できる縦スペーサを使用すれば横幅も調整できる。尚、言うまでもないことだが、パチンコ機等の遊技機の枠の大きさは、関東枠が縦８０９ｍｍ、横５２１ｍｍ、関西枠が縦８１８ｍｍ、横５３０ｍｍである。
【００１３】
図５に示すように、前面枠１４、皿部材３２等の荷重を支承する本体枠４４の第１側壁４４ｂには、鋼製の補強レール１３４がボルト止めされている。また第１側壁４４ｂと対向する第２側壁４４ｃには、前面枠１４を係止するためのＬ部材１３６、１３６および皿部材３２を係止するための下係止部材１３８が取り付けられている。この下係止部材１３８は所定の範囲で矢印Ｚ方向に沿って往復動可能であり、ばねによって図示上方に付勢されているが、上部に設けられた押下部１３８ａを図示下方へ押圧することにより、下係止部材１３８をばねの付勢力に抗して下降させることができる。図６に示すように、裏盤４８は、２個のヒンジ１３９、１３９を介して本体枠４４の第１側壁４４ｂに軸支され、また図２および図６に示すように、一対の係止機構１４０、１４０を介して第２側壁４４ｃに係脱可能に係止されている。図７に示すように、この係止機構１４０は、ピン１４２に軸支されて矢印Ｃに沿って揺動可能に裏盤４８に装着された係止部材１４４と本体枠４４の第２側壁４４ｃに固着された係止バー１４６とから構成されている。係止部材１４４には、係止バー１４６と係止可能な係止鈎１４４ａおよびハンドル１４４ｂとが設けられており、ハンドル１４４ｂを矢印Ｃに沿って揺動させることによって係止鈎１４４ａを係止バー１４６に係脱させることができ、この操作によって裏盤４８を本体枠４４に係止させ、その係止を解除できる。
【００１４】
図２およびパチンコ機１０から前面枠１４および皿部材３２を取り去った状態の正面図である図６に示すように、裏盤４８には４箇所の圧締機構１４８を介して遊技盤１２が保持されている。図８に示すように、圧締機構１４８には一対の板状の突起１５０ａ、１５０ｂを備えた圧締部材１５０、半月状の横断面形状を有し圧締部材１５０を貫通する軸１５２および軸１５２を回転操作するノブ１５４が設けられている。圧締機構１４８は圧締部材１５０とノブ１５４との間の軸１５２を裏盤４８の軸穴１５６に回動自在に保持されており、圧締部材１５０は裏盤４８に形成された挿通部１５８に収容されている。このような構成により、ノブ１５４を介して圧締部材１５０を約９０度の範囲で回動させれば、遊技盤１２と裏盤４８の圧締縁部１６０とを密接、圧締状態（図８（ａ）、（ｃ）参照）とし、この状態から解放（図８（ｂ）、（ｄ）参照）することができる。図６に示すように、裏盤４８に装着された遊技盤１２は、上述の圧締機構１４８によって水平方向の移動を規制され、裏盤４８のサポート部１６２によって支承されて重力方向の移動を規制されているが、圧締機構１４８による圧締を解除すれば、遊技盤１２を図６における紙面垂直方向に移動させて裏盤４８から離脱させることができる。またこれと逆に作業すれば遊技盤１２を裏盤４８に装着できる。このように遊技盤１２の裏盤４８への着脱が裏盤４８の前面側から可能であり、しかも容易である。したがって、例えば遊技盤１２のみを新規な遊技盤と交換する作業は、きわめて容易となる。このように、本体枠４４に保持される裏盤４８にて直接に遊技盤１２を支えるので、従来のパチンコ機等では本体枠に軸支されて遊技盤を保持すると共に発射ハンドル４０等を固定していた木製の前枠が不要となっている。また前枠に固定されて遊技盤を支承するプラスチック製の中枠も不要となっている。すなわち、本実施例の裏盤４８は、従来のプラスチック製のいわゆる裏パックと遊技盤を保持する前枠および中枠との機能を備えており、このように構成することで部品点数を削減できる。
【００１５】
図６および図９に示すように、裏盤４８の下部には遊技球を遊技領域１８に発射するための打球槌１６４および打球槌１６４を駆動するモータ１６６を備えた発射装置１６８が収容されている。また発射装置１６８の斜め上方には、発射される遊技球を案内するための発射レール１７０が配されており、発射レール１７０の後端部１７０ａに置かれた遊技球を打球槌１６４の打撃部１６４ａによって打撃することで、遊技球を発射することができる。発射された遊技球は、発射レール１７０を経て、遊技盤１２に固着されているガイドレール１７２に沿って誘導されて遊技領域１８へ放出される。なお、発射レール１７０とガイドレール１７２との間には、例えば打球槌１６４による付勢が不足して、遊技領域に到達できなかった遊技球を回収して下受け皿３０へと導くためのファール球誘導路１７３が設けられている。このファール球誘導路１７３の下方には、タッチ基盤１７４が取り付けられている。このタッチ基盤は、遊技者が発射ハンドル４０にタッチしているのを検出するとともに、遊技者の発射ハンドルの回動量に応じてモータ１６６を制御し打球槌１６４のトルクを調節するためのものである。
【００１６】
本体枠４４の第１側壁４４ｂの内面側には、４箇所の迫出しヒンジ１７６ａ、１７６ｂ、１７６ｃ、１７６ｄが設置されており、迫出しヒンジ１７６ａ、１７６ｂには前面枠１４が取り付けられ、迫出しヒンジ１７６ｃ、１７６ｄには皿部材３２が取り付けられている。
【００１７】
図１０、図１１および図１２に示すように、迫出しヒンジ１７６ａ〜１７６ｄは、固定部材１７８を介して第１側壁４４ｂに固定されている。この固定部材１７８には、ピン１８０を中心として揺動自在に板状片１８２が連結され、ピン１８４を中心として揺動自在に三角片１８６が連結されている。また板状片１８２の他端はピン１８８を介して相互に揺動自在にＬ字板１９０の後端部に連結されており、三角片１８６の中央頂点部はピン１９２を介して相互に揺動自在にＬ字板１９０の中央部に連結されている。このＬ字板１９０の先端側は略コの字状となっており、その突端は、前面枠１４（皿部材３２）に固着された凹部材１９４に、ピン１９６を介して相互に揺動自在に連結されている。さらに、この凹部材１９４に、ピン１９８を介して連結されたＳ字片２００の他端は、ヒン２０２を介して三角片１８６に連結されている。このような迫出しヒンジ１７６ａ〜１７６ｄでは、閉鎖状態（図１１参照）から開放状態（図１０、図１２参照）へ移行する際には、Ｌ字板１９０およびＳ字片２００が矢印Ｅ方向に沿って引き出されるように変位する。しかし、三角片１８６の中央付近に連結されているＬ字板１９０の変位量よりも三角片１８６の先端部に連結されているＳ字片２００の変位量が大きくなるので、前面枠１４（皿部材３２）は矢印Ｅ方向に沿って迫出すと共に矢印Ｆ方向に沿って揺動することになる。このように、前面枠１４（皿部材３２）は本体枠４４から離脱しつつ扇形に移動するので、開放状態では前面枠１４（皿部材３２）と本体枠４４との間に空隙Ｋが形成される。したがって、例えば隣接する他のパチンコ機やパチンコ機の間に設置されている玉貸機と開放された前面枠１４（皿部材３２）との間にも空隙Ｋに応じた距離的なゆとりが確保できる。従って、例えば前面枠１４を従来よりも大きな角度で開くことが可能となり、パチンコ機１０内部のメンテナンス等が一層容易となる。また、例えば空隙Ｋに見合っただけ上下の受け皿を張り出すことも可能となり、上下の受け皿の容積を増加することができる。
【００１８】
図１３に示すように、これらの迫出しヒンジ１７６ａ〜１７６ｄを介して本体枠４４に取り付けられている前面粋１４および皿部材３２の裏面側には、各種の部材が設置されている。なお、図１３にては前面枠１４と皿部材３２とを明瞭に区別するために、実際以上に両者を離隔させて表示している。先ず前面枠１４について説明すると、上辺２０６に沿って大当りランプ２０への配線を保護するための保護板２０８が設置されている。また迫出しヒンジ１７６ａ、１７６ｂと対向する側辺に沿って、本体枠４４の第２側壁４４ｃに固着された図５に示されるＬ部材１３６、１３６と係止して前面枠１４を閉鎖状態に維持するための前面枠係止機構２１０が配されている。この前面枠係止機構２１０は、所定の範囲で上下動可能な係止板２１２、係止板２１２を上方向に付勢するばね２１４および錠２４を介して回動操作され係止板２１２を下方へ押し下げ可能な押部材２１６を備えている。前面枠１４が閉じられた状態では係止板２１２とＬ部材１３６、１３６とが相互に係止し、ばね２１４はこの状態を保持すべく係止板２１２を付勢しているが、錠２４を介して押部材２１６を回動させ、係止板２１２をばね２１４の付勢力に抗して押し下げると、係止板２１２とＬ部材１３６、１３６との係止は解除され、前面枠１４を開放可能となる。また、前面枠１４には迫出しヒンジ１７６ａ、１７６ｂとの間に配された一対の軸ピン２１８、２１８に軸支されて、ガラス枠１３が装着されている。
【００１９】
図１４に示すように、ガラス枠１３は矩形でガラス１６ａ、１６ｂを保持する一対のガラス溝２２０ａ、２２０ｂを備える外周部材２２２と外周部材２２２の内部に配されて中央に略円形の空間を形成している装飾部１３ａとで構成されており、図示左側には軸ピン２１８、２１８と係合可能な穴を備えた係合部２２４ａ、２２４ｂを有する金属製の係合支持金具２２６が固着されている。また、係合支持金具２２６と対向する辺には、ガラス１６ａ、１６ｂをガラス溝２２０ａ、２２０ｂ内に保持すると共に、蝶番部２２８ａ、２２８ｂを軸として開閉しガラス１６ａ、１６ｂの挿入、取出しを可能とする金属製のガラス押え板２３０が装着されている。ガラス押え板２３０の中央付近には、鋼製の弾性板２３２が配されている。この弾性板２３２は矢印Ｇ方向に沿って弾性変形可能である。図１３に示すように、ガラス枠１３を前面枠１４に密接させた際には、弾性板２３２は押部材２１６の後端部２３４に当接している。このためガラス枠１３は、後端部２３４によって前面枠１４からの離脱を規制されている。一方、弾性板２３２をガラス枠１３の中心方向に向かって弾性変形させた際には、弾性板２３２は後端部２３４との当接状態から解放され、ガラス枠１３は軸ピン２１８、２１８を軸として揺動可能となる。したがって、弾性板２３２を操作することによってガラス枠１３を前面枠１４に密接する状態から離脱させることができる。なお、弾性板２３２は、後端部２３４からの押圧力によって、ガラス押え板２３０を閉鎖状態に保持する機能も有しており、上記のようにしてガラス枠１３を前面枠１４から離脱させた時には、ガラス押え板２３０も開放可能となる。
【００２０】
次に、皿部材３２の裏面側について説明すると、皿部材３２の裏面はプラスチック製の裏板２３６で覆われており、裏板２３６を貫通して上受け皿２８の上皿排出口３４に通ずる通路２３８か開口している。この通路２３８の下方に配された略平行四辺形の部材は、下皿導入口９８からの遊技球を下受け皿３０の下皿排出口３６へと導くためのバイパス部材２４０であり、上辺部に遊技球口２４２が設けられている。またバイパス部材２４０下部の凸状部２４４に対応して、裏板２３６には下受け皿３０に通ずる開口が設けられている。さらに、バイパス部材２４０の凸状部２４４の斜め上方には、発射装置１６８から発射されて遊技領域１８に到達できなかった遊技球が回収されるファール球誘導路１７３からの遊技球を受け入れるためのファール球受口２４６が設けられている。バイパス部材２４０の図示左側は裏板２３６が一部削除されており、この内部には、上受け皿２８から供給される遊技球を１球ずつ発射レール１７０内に供給する発射球供給装置２４８が設置されている。また裏板２３６には、発射球供給装置２４８の下方に、発射ハンドル４０と発射装置１６８とを接続するリード線（図示略）の通路としてのリード線穴２５０が設けられている。さらに、皿部材３２の迫出しヒンジ１７６ｃ、１７６ｄと対向する辺に沿って、本体枠４４に設置された図５に示される下係止部材１３８と係止可能な係止部２５２ａ、２５２ｂを有する鋼製の係止金具２５２が取り付けられている。したがって、本体枠４４の下係止部材１３８の押下部１３８ａを押し下げることにより、下係止部材１３８と係止部２５２ａ、２５２ｂとの係止を解除すれば皿部材３２を迫出しヒンジ１７６ｃ、１７６ｄを軸として開放できる。また開放した皿部材３２を本体枠４４に押し付けるように閉じれば、係止部２５２ａ、２５２ｂを本体枠４４の係止部材１３８と係止させることができ皿部材３２と本体枠４４とを接合状態に保持できる。
【００２１】
図１３に示されるように、皿部材３２には、発射球供給装置２４８の右下方にピン側（ヘッダ側）としてのコネクタ２５３が固定されている。このコネクタ２５３は発射ハンドル４０とリード線により接続されている。また、図６に示されるように、本体枠４４に保持される裏盤４８には、前述したタッチ基盤１７４の上方にソケット側としてのコネクタ２５４が固定されている。このコネクタ２５４は、皿部材３２に固定されたコネクタ２５３と対応する位置に固定されている。従って、皿部材３２を迫出しヒンジ１７６ｃ、１７６ｄを軸として本体枠側に閉鎖すれば、皿部材３２に固定されたコネクタ２５３と裏部材４８に固定されたコネクタ２５４とが嵌合状態となって電気的に接点を閉じる。また、皿部材３２を開放すれば、コネクタ２５３とコネクタ２５４との嵌合状態が解け電気的接点が開放される。コネクタ２５４はリード線によりタッチ基盤１７４に接続されている。これらの関係を示したのが図１５に示される電気配線図である。
【００２２】
以上の構成なる本実施例の遊技機は、皿部材３２を開閉することにより皿部材３２側の発射ハンドル４０と本体枠側のタッチ基盤１７４との電気的接点の開閉が行われる。これにより、遊技機の正面からみて皿部材３２の右端の発射ハンドル４０から迫出しヒンジ１７６ｃ及び１７６ｄの軸支部分を介してタッチ基盤１７４までリード線を引き回す必要がなく、発射ハンドル４０からタッチ基盤１７４に至るまでのリード線の線長を極めて短くすることができるという優れた効果を奏する。この結果、リード線が長いことより生じる種々の課題、即ち配線作業が困難であるという課題、電気的ノイズを受け易いという課題、リード線の対地容量が増大してタッチ基盤のタッチ感度が低下するという課題、を好適に解決することができるという極めて優れた効果を有する。また、皿部材３２を開放すればタッチ基盤１７４との電気的接点が開放するので、発射ハンドル４０を握っていても遊技球の発射が停止され遊技球がこぼれるという不具合を未然に防ぐことができるという効果も奏する。更に、本実施例ではタッチ基盤１７４は本体枠４４に保持される裏盤４８に取り付けられているので、製造段階において打球槌１６４による遊技球の発射状態をチェックするような場合、皿部材３２を取り付けなくともコネクタ２５３の端子部分で短絡等の処理を行えば発射動作チェックすることができるという優れた効果を有する。
【００２３】
【発明の効果】
本発明の遊技機においては、皿部材の開閉動作に連動して接点開閉手段により、請求項１に記載の発明では皿部材側の発射ハンドルと本体枠側とのタッチ検出手段とが電気的に接点を開閉するよう働き、請求項２に記載の発明では皿部材側のタッチ基盤と本体枠側の電気的部材とが電気的に接点を開閉するよう働く。これにより、皿部材側の発射ハンドルと本体枠側のタッチ検出手段又は電気的部材との配線の長さを極端に短くすることができ、配線作業を容易にするという極めて優れた効果を奏する。また、この結果、配線が長いことによる対地容量の増大、電気的ノイズを受け易いといった不具合をも好適に解決することができるという優れた効果も有する。
【図面の簡単な説明】
【図１】  実施例のパチンコ機の正面図である。
【図２】  実施例のパチンコ機の背面図である。
【図３】  実施例のパチンコ機に装着された賞球排出装置のステッピングモータの制御に関わる機構のブロック図である。
【図４】  実施例のパチンコ機の入賞球排出装置の一部断面図である。
【図５】  実施例のパチンコ機の本体枠の斜視図である。
【図６】  実施例のパチンコ機において前面枠および皿部材を撤去した状態の正面図である。
【図７】  実施例のパチンコ機の係止機構付近の一部断面図である。
【図８】  実施例のパチンコ機の圧締機構の説明図であり、図８（ａ）、（ｂ）は一部縦断面図、図８（ｃ）は圧締状態の正面図、図８（ｄ）は解除状態の正面図である。
【図９】  実施例のパチンコ機の図６の状態の断面図である。
【図１０】  実施例のパチンコ機の迫出しヒンジ付近の斜視図である。
【図１１】  実施例のパチンコ機の迫出しヒンジの平面図である。
【図１２】  実施例のパチンコ機の迫出しヒンジを開いた状態の平面図である。
【図１３】  実施例のパチンコ機の前面枠および皿部材の背面図である。
【図１４】  実施例のパチンコ機のガラス枠の斜視図である。
【図１５】  実施例の発射ハンドル４０とタッチ基盤１７４との配線図である。
【符号の説明】
１０・・・パチンコ機、１２・・・遊技盤、１３・・・ガラス枠、１４・・・前面枠、１６ａ・・・ガラス（ガラス板）、１８・・・遊技領域、２０・・・表示ランプ、２８・・・上受け皿、３０・・・下受け皿、３２・・・皿部材、３９・・・ピン穴、４０・・・発射ハンドル、４４・・・本体枠、４８・・・裏盤、５８・・・賞球排出装置、７６・・・賞球排出樋、９０・・・ダンパ、９２・・・球抜樋、１７４・・・タッチ基盤、２５３・・・コネクタ、２５４・・・コネクタ。
【図１】
0003689714.tif 000002
【図２】
0003689714.tif 000003
【図３】
0003689714.tif 000004
【図４】
0003689714.tif 000005
【図５】
0003689714.tif 000006
【図６】
0003689714.tif 000007
【図７】
0003689714.tif 000008
【図８】
0003689714.tif 000009
【図９】
0003689714.tif 000010
【図１０】
0003689714.tif 000011
【図１１】
0003689714.tif 000012
【図１２】
0003689714.tif 000013
【図１３】
0003689714.tif 000014
【図１４】
0003689714.tif 000015
【図１５】
0003689714.tif 000016